(57)【要約】【課題】本発明が解決しようとする課題は、該当商品の漏れがなく、かつ店員の負荷を軽減して価格変更リストを作成する、情報処理装置およびプログラムを提供することである。【解決手段】実施形態の情報処理装置は、特売商品であることを示すキーワードを入力するキーワード入力手段と、キーワードを当該特売商品の名称に含ませた特売商品の情報を記憶する特売商品記憶部を前記キーワード入力手段によって入力された前記キーワードに基づいて検索して、該当する前記特売商品を抽出する特売商品抽出手段と、前記特売商品抽出手段によって抽出された前記特売商品の商品情報をリストとして出力するリスト出力手段と、を備える。【選択図】図７
2015090672.tif 000002
【特許請求の範囲】
【請求項１】
特売商品であることを示すキーワードを入力するキーワード入力手段と、
キーワードを当該特売商品の名称に含ませた特売商品の情報を記憶する特売商品記憶部を前記キーワード入力手段によって入力された前記キーワードに基づいて検索して、該当する前記特売商品を抽出する特売商品抽出手段と、
前記特売商品抽出手段によって抽出された前記特売商品の商品情報をリストとして出力するリスト出力手段と、
を備える情報処理装置。
【請求項２】
前記特売商品記憶部を備え、
前記特売商品記憶部は、商品名称とは異なる特売商品を示す特売名称に前記キーワードを含ませて記憶し、
前記特売商品抽出手段は、前記特売名称に前記キーワードが含まれる前記特売商品を抽出する、
請求項１に記載の情報処理装置。
【請求項３】
特売名称キーを備え、
前記キーワード入力手段は、前記特売名称キーの操作に応動して予め記憶部に設定されている前記キーワードを入力する、
請求項１または２に記載の情報処理装置。
【請求項４】
前記特売商品記憶部は、企画毎に当該企画に含まれる前記特売商品の情報を記憶し、
特売商品抽出手段は、前記特売商品記憶部に記憶された前記特売商品を対象として前記キーワードを含む前記特売商品を抽出する、
請求項１乃至３のいずれか一に記載の情報処理装置。
【請求項５】
前記特売商品抽出手段は、前記キーワードに基づいて特定の前記企画を取得し、取得した前記企画に含まれる前記商品を抽出する、
請求項４に記載の情報処理装置。
【請求項６】
コンピュータを、
特売商品であることを示すキーワードを入力するキーワード入力手段と、
キーワードを当該特売商品の名称に含ませた特売商品の情報を記憶する特売商品記憶部を前記キーワード入力手段によって入力された前記キーワードに基づいて検索して、該当する前記特売商品を抽出する特売商品抽出手段と、
前記特売商品抽出手段によって抽出された前記特売商品の商品情報をリストとして出力するリスト出力手段と、
として機能させるためのプログラム。
【発明の詳細な説明】
【技術分野】
【０００１】
本発明の実施形態は、情報処理装置およびプログラムに関する。
【背景技術】
【０００２】
スーパーマーケットやコンビニエンスストア等の店舗では、販売促進の一環として、特定の商品の価格を値引きして販売する特売キャンペーンを実施している。店舗では、特売期間中、特売する商品のＰＯＰ（Point  of  Purchase）や値札を、特売価格に変更する必要がある。そのため、店舗は、対象となる商品をリストアップするため、該当商品の価格変更情報を含む特売商品リストを作成する。そして店舗は、作成した特売商品リストに基づいて、特売商品のＰＯＰを作成したり、値札を変更したりする。
【０００３】
従来、特売商品リストは、店舗サーバに記憶されている多くの商品を表示部に表示させ、その中から該当する商品を店員が手作業で指定することによって作成されていた。このため、特売商品リストから漏れる商品が発生する危険性があった。また、特売商品リストを作成する店員に、多大な負荷がかかっていた。
【発明の概要】
【発明が解決しようとする課題】
【０００４】
本発明が解決しようとする課題は、該当商品の漏れがなく、かつ店員の負荷を軽減して特売商品リストを作成する、情報処理装置およびプログラムを提供することである。
【課題を解決するための手段】
【０００５】
実施形態の情報処理装置は、特売商品であることを示すキーワードを入力するキーワード入力手段と、キーワードを当該特売商品の名称に含ませた特売商品の情報を記憶する特売商品記憶部を前記キーワード入力手段によって入力された前記キーワードに基づいて検索して、該当する前記特売商品を抽出する特売商品抽出手段と、前記特売商品抽出手段によって抽出された前記特売商品の商品情報をリストとして出力するリスト出力手段と、を備える。
【０００６】
実施形態のプログラムは、コンピュータを、特売商品であることを示すキーワードを入力するキーワード入力手段と、キーワードを当該特売商品の名称に含ませた特売商品の情報を記憶する特売商品記憶部を前記キーワード入力手段によって入力された前記キーワードに基づいて検索して、該当する前記特売商品を抽出する特売商品抽出手段と、前記特売商品抽出手段によって抽出された前記特売商品の商品情報をリストとして出力するリスト出力手段と、として機能させる。
【図面の簡単な説明】
【０００７】
【図１】図１は、店舗サーバのハードウェア構成を示すブロック図である。
【図２】図２は、商品マスタの一例を示すメモリマップである。
【図３】図３は、特売企画マスタの一例を示すメモリマップである。
【図４】図４は、メモリ部の一例を示すメモリマップである。
【図５】図５は、表示部の表示画面の例を示す図である。
【図６】図６は、店舗サーバの機能構成を示す機能ブロック図である。
【図７】図７は、店舗サーバの制御処理の流れを示すフローチャートである。
【発明を実施するための形態】
【０００８】
以下、図を参照して、実施形態に係る情報処理装置およびプログラムを詳細に説明する。実施形態では、情報処理装置として店舗サーバを用いて説明する。なお、以下に説明する実施形態によりこの発明が限定されるものではない。
【０００９】
まず、図１〜図５を用いて、店舗サーバ１のハードウェアについて説明する。図１は、店舗サーバ１のハードウェア構成を示すブロック図である。図１において、店舗サーバ１は、制御主体となるＣＰＵ（Central  Processing  Unit）１１、各種プログラムを記憶するＲＯＭ（Read  Only  Memory）１２、各種データを展開するＲＡＭ（Random  Access  Memory）１３、各種プログラムを記憶するメモリ部１４等を備えており、ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラム１４１に従って動作することによって、後述する制御処理を実行する。
【００１０】
ＲＡＭ１３は、キーワード記憶部１３１を有している。キーワード記憶部１３１は、操作部１７から入力された、当該特売企画に関するキーワードを記憶する。このキーワードは、特売名称と一致しているか、特売名称に含まれる形でその一部を構成する。
【００１１】
メモリ部１４は、電源を切っても記憶情報が保持されるＨＤＤ（Hard  Disc  Drive）やフラッシュメモリ等の不揮発性メモリであって、制御プログラム１４１を含むプログラム等を記憶する。また、メモリ部１４は、商品マスタ１４２（図２を参照）、特売企画マスタ１４３（図３を参照）、単品予約状況部１４４（図４を参照）を記憶している。
【００１２】
また、データバス１５には、操作部１７、表示部１８、印字部１９がコントローラ１６を介して接続されている。
【００１３】
操作部１７は、特売名称キー１７１を含む各種の操作キーを有している。表示部１８は、表示面を店員に向けて設置され、店員に対して情報を表示する。印字部２０は、設置された用紙に情報を印字して出力する。なお、操作部１７は、表示部１８上に設けられたタッチパネル上のタッチキーを含む。
【００１４】
また、データバス１５は、ＬＡＮＩ／Ｆ（Interface）２２とネットワークＩ／Ｆ２３を接続している。ＬＡＮＩ／Ｆ２２は、ＬＡＮ７を介して、ＰＯＳ端末（図示せず）と接続している。ネットワークＩ／Ｆ２３は、ネットワーク８を介して、本部に設置された本部サーバ（図示せず）と接続している。
【００１５】
店舗サーバ１は、店舗に設置された複数台のＰＯＳ端末を管理する。店舗サーバ１は、ＰＯＳ端末からＬＡＮ７を介して受信した決済情報等を、自身で記憶するとともに、ネットワーク８を介して本部サーバに送信する。
【００１６】
図２は、店舗サーバ１のメモリ部１４に記憶された商品マスタ１４２を示すメモリマップである。商品マスタ１４２は、商品の各種情報を商品毎に記憶する。図２において、商品マスタ１４２は、商品コード部１４２１、商品名部１４２２、単価部１４２３、特売価格部１４２４、属性情報部１４２５、特売商品部である特売名称部１４２６を有している。
【００１７】
商品コード部１４２１は、商品を特定する商品コードを記憶している。商品名部１４２２は、商品コードで特定される商品の名称を記憶している。単価部１４２３は、商品コードで特定される商品の通常価格である単価を記憶している。
【００１８】
特売価格部１４２４は、当該商品を特売で販売するときの販売価格を記憶している。
【００１９】
属性情報部１４２５は、例えば、商品の産地、原材料、添加物等の当該商品に関係する情報が記憶されている。
【００２０】
特売名称部１４２６は、特売企画コードで特定される特売企画を特定するキーワード（図２の例では「チラシ」）を含む特売名称を記憶する。なお、「チラシ」以外のキーワードとして、「特売」「セール」等を使用することもある。また、図２の場合、商品Ｅの特売名称部１４２６はキーワードを含まない。
【００２１】
図３は、店舗サーバ１のメモリ部１４に記憶された特売企画マスタ１４３を示すメモリマップである。図２において、特売企画マスタ１４３は、特売企画コード部１４３１、企画名称部１４３２、企画内容部１４３３、特売商品部である特売名称部１４３４を有している。
【００２２】
特売企画コード部１４３１は、特売企画単位で、当該特売企画を特定する特売企画コードを記憶している。企画名称部１４３２は、特売企画コードで特定される特売企画を表す企画名称を記憶している。企画内容部１４３３は、特売企画コードで特定される特売企画の内容を記憶している。
【００２３】
特売名称部１４３４は、特売企画コードで特定される特売企画を特定するキーワードを含む特売名称を記憶する。図３の例では、特売企画コードで特定される企画１に対して、特売名称部１４３４に記憶された特売名称に「チラシ」のキーワードを含む。企画２〜企画５は、キーワードを含まない。
【００２４】
図４は、店舗サーバ１のメモリ部１４に記憶された単品予約状況部１４４を示すメモリマップである。図４において、単品予約状況部１４４は、特売企画コード毎に、当該特売企画に含まれる複数の商品の商品情報を記憶している。図４の例では、「企画１」という特売企画コードに含まれる商品の商品情報を示している。図示はしていないが、単品予約状況部１４４は、他の企画に対応する商品情報も記憶している。単品予約状況部１４４は、特売企画コード部１４４１、商品コード部１４４２、商品名部１４４３、単価部１４４４、特売価格部１４４５、特売商品部である特売名称部１４４６を有している。
【００２５】
特売企画コード部１４４１は、特売企画を特定する特売企画コードを記憶している。商品コード部１４４２は、商品を特定する商品コードを記憶している。商品名部１４４３は、商品コードで特定される商品の名称を記憶している。単価部１４４４は、商品コードで特定される商品の通常販売される単価を記憶している。特売価格部１４４５は、当該商品を特売で販売するときの販売価格を記憶している。特売名称部１４４６は、当該商品が属する特売企画の特売名を記憶している。
【００２６】
なお、単品予約状況部１４４は、１つの特売企画コード部１４４１に記憶された特売企画に対応して、複数の商品コード部１４４２、商品名部１４４３、単価部１４４４、特売価格部１４４５、特売名称部１４４６を備えている。したがって、ある企画を表す特売企画コードに対応して、この企画が含む複数の商品の情報を記憶する。図４の例の場合、企画１に、商品Ａ〜商品Ｄの商品が含まれている。
【００２７】
また、特売名称部１４４６に記憶された特売名称は、キーワードを含む当該企画を示す名称である。図４の例の場合、「企画１」の企画を示す特売名称を、例えば「○○セール（チラシ）」としている。この場合、「チラシ」がキーワードである。キーワードは、「企画１」の特徴を示す言葉であり、図４の場合は企画１を指し示す用語である。「企画１」に含まれる商品（商品Ａ〜商品Ｄ）は、チラシに掲載されて各家庭に頒布されており、特売販促を実施する「企画１」の特売商品がチラシに掲載されていることを意味する。そして、商品Ａ〜商品Ｄは、特売名称部１４４６にキーワード「チラシ」が含まれているため、チラシに掲載された商品であることを示す。
【００２８】
図５は、表示部１８に表示された、情報の入力画面である。表示部１８は、この入力画面において、出力対象部１８１、コード選択部１８２、対象日付部１８３、出力種別部１８４、出力方法部１８５、帳票出力キー１８７、特売名称キー１７１等を表示する。コード選択部１８２は、コード選択前部１８２ａ、選択キー１８２ｂ、コード選択後部１８２ｃとを有している。
【００２９】
出力対象部１８１は、コード選択部１８２に表示する対象部門を選定するための入力部である。具体的には、出力対象の部門を、全体、部門、クラス、特売企画等からプルダウン方式で１つを選択して指定する。
【００３０】
コード選択部１８２は、選択された情報のコードとその名称を表示する。商品の場合、商品コードと商品名を表示する。企画の場合は、企画コードと企画名称を表示する。具体的には、出力対象部１８１で指定された対象のコードとその名称を、左側のコード選択前部１８２ａに表示する。この表示は、対象日付部１８３を指定することで、日時的な絞込みができる。また、出力種別部１８４、出力方法部１８５から所定の指定をすることで、表示形態を変更することができる。
【００３１】
この状態で、コード選択前部１８２ａに表示されたコードから所望のコードをマウスやタッチキー等で指定して、選択キー１８２ｂを操作すると、指定されたコードと名称がコード選択後部１８２ｃに移動する。この操作を繰り返すことで、指定したすべてのコードをコード選択前部１８２ａからコード選択後部１８２ｃに移動させる。
【００３２】
すべての選択が終了した後に、帳票出力キー１８７を操作すると、コード選択後部１８２ｃに移動して表示されているすべてのコードと名称が、印字部１９によって用紙に印字され、帳票として出力される。
【００３３】
また、出力対象部１８１で出力対象を指定することなく、表示部１８上に設けられた特売名称キー１７１を操作すると、図示しない特売名称キーワードマスタから入力されたキーワードに基づいて、特売名称部１４４６に記憶されている特売名称を検索し、特売名称に当該キーワードが含まれている企画を取得する。そして、取得した企画に含まれる商品の商品情報を抽出する。そして抽出された商品情報から、特売商品リスト情報を生成する。その後に帳票出力キー１８７を操作すると、生成された特売商品リスト情報が、印字部１９によって用紙に印字され、特売商品リストとして出力される。
【００３４】
次に、図６と図７を用いて、実施形態の店舗サーバ１の制御について説明する。図６は、店舗サーバ１の機能構成を示す機能ブロック図である。制御部１００が、ＲＯＭ１２やメモリ部１４に記憶された制御プログラム１４１を含む各種プログラムに従うことで、キーワード入力手段１０１、特売商品抽出手段１０２を、リスト出力手段１０３を機能させる。
【００３５】
キーワード入力手段１０１は、特売商品であることを示すキーワードを入力する機能を有する。
【００３６】
特売商品抽出手段１０２は、キーワードを当該特売商品の名称に含ませた特売商品の情報を記憶する特売商品記憶部を前記キーワード入力手段によって入力されたキーワードに基づいて検索して、該当する特売商品を抽出する機能を有する。
【００３７】
リスト出力手段１０３は、特売商品抽出手段１０２によって抽出された特売商品の商品情報をリストとして出力する機能を有する。
【００３８】
図７は、店舗サーバ１の制御処理の流れを示すフローチャートである。図７において、制御部１００は、キーボード等の操作部１７からキーワードが入力されたか否かを判断する（ステップＳ１１）。
【００３９】
キーワードが入力されたと判断した場合は（ステップＳ１１のＹｅｓ）、制御部１００は、入力されたキーワードを、ＲＡＭ１３のキーワード記憶部１３１に記憶する（ステップＳ１２）。
【００４０】
キーワードが入力されていないと判断した場合は（ステップＳ１１のＮｏ）、次に制御部１００は、出力対象部１８１から出力が指定されたか否かを判断する（ステップＳ２１）。出力指定は、商品マスタ１４２、または単品予約状況部１４４に記憶された商品情報について、全体、部門、クラス、特売企画等を指定して選択される。なお、ステップＳ１２でキーワードを記憶した後、制御部１００は、ステップＳ２１の処理へと移る。
【００４１】
指定されたと判断した場合は（ステップＳ２１のＹｅｓ）、制御部１００は、商品マスタ１４２、または単品予約状況部１４４に記憶された商品情報について、出力対象部１８１で指定された出力対象について検索を実行する（ステップＳ２２）。
【００４２】
例えば、出力対象部１８１で指定された出力対象が「全体」の場合、制御部１００は、商品マスタ１４２に記憶されたすべての商品情報を対象として検索を実行する。また、例えば、出力対象部１８１で指定された出力対象が「特売企画」の場合、制御部１００は、特売企画の対象商品商品情報が記憶されている、特売企画マスタ１４３を対象として検索を実行する。なお、特売企画マスタ１４３の商品情報は、商品マスタ１４２に記憶されていてもよい。
【００４３】
次に制御部１００は、検索された結果に基づいて、キーワードに対応した該当する企画を取得する（ステップＳ２３）。企画は、特売企画マスタ１４３に記憶されたキーワードに基づいて取得する。次に制御部１００（特売商品抽出手段１０２）は、取得した企画に基づいて、単品予約状況部１４４から当該企画に含まれる特売商品の特売情報を抽出する（ステップＳ２４）。
そして制御部１００は、抽出した特売情報に基づいて、特売商品情報（価格の変更情報等）を含む特売商品リスト情報を生成する（ステップＳ２５）。次に制御部１００（リスト出力手段１０３）は、生成した特売商品リスト情報を、印字部１９で印字してリストを出力する（ステップＳ２６）。
【００４４】
一方、ステップＳ２１において、出力対象部１８１から出力が指定されていないと判断した場合は（ステップＳ２１のＮｏ）、制御部１００は、操作部１７に配置された特売名称キー１７１が操作されたか否かを判断する（ステップＳ３１）。操作されたと判断した場合は（ステップＳ３１のＹｅｓ）、制御部１００（キーワード入力手段１０１）は、特売名称キーワード部（図示せず）から、特売名称キーワードマスタ（記憶部）内に予め設定されている、該当するキーワードを入力する（ステップＳ３２）。そして制御部１００は、特売企画マスタ１４３を対象として、入力したキーワードに基づいた検索する（ステップＳ３３）。
【００４５】
その後、制御部１００は、ステップＳ２３〜２６を実行して、検索した結果に基づいて企画を取得する等して、特売商品の価格の変更情報等を含む特売商品リスト情報を印字出力する。なお、ステップＳ３１において、特売名称キー１７１が操作されていないと判断した場合は（ステップＳ３１のＮｏ）、制御部１００は、ステップＳ１１に戻って待機する。
【００４６】
このような実施形態によれば、入力されたキーワードに基づいて、対象となる特売企画に含まれる商品の商品情報を抽出し、特売商品リスト情報を生成する。そして生成した特売商品リスト情報を印字した特売商品リストを出力する。そのため、店員は、出力した特売商品リストに基づいて、特売商品のＰＯＰを作成したり、値札を変更できるため、店員による作成・変更漏れをなくすことができる。また店員の作業負担を低減することができる。
【００４７】
また、実施形態によれば、特売名称にキーワードの情報を含ませたため、該当する商品情報の検索および抽出が素早く実行可能である。
【００４８】
また、実施形態では、チラシに掲載された商品Ａ〜商品Ｄが抽出されるため、チラシに掲載された商品のみについて、ＰＯＰを作成したり、売価変更を実行することができる。
【００４９】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【００５０】
例えば、実施形態では、特売企画の対象となる商品情報は、単品予約状況部１４４に記憶しているとしたが、商品マスタ１４２に記憶するようにしてもよい。
【００５１】
また実施形態では、一つの特売企画についてキーワードを含む商品情報を抽出したが、複数の企画にまたがる商品情報について、キーワードを含む商品情報を抽出するようにしてもよい。
【００５２】
また、実施形態では、情報処理装置を店舗サーバ１としたが、本部に設置された本部サーバを情報処理装置としてもよい。
【００５３】
なお、実施形態の情報処理装置で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００５４】
また、実施形態の情報処理装置で実行されるプログラムを、インターネット等のネットワークに接続されたコンピュータ上に格納し、ネットワーク経由でダウンロードさせることにより提供するように構成しても良い。また、実施形態の情報処理装置で実行されるプログラムをインターネット等のネットワーク経由で提供または配布するように構成しても良い。
【００５５】
また、実施形態の情報処理装置で実行されるプログラムを、ＲＯＭ等に予め組み込んで提供するように構成してもよい。
【符号の説明】
【００５６】
１  店舗サーバ
１００  制御部
１０１  キーワード記憶手段
１０２  特売商品抽出手段
１０３  リスト出力手段
１４２  商品マスタ
１４３  特売企画マスタ
１４４  単品予約状況部
【先行技術文献】
【特許文献】
【００５７】
【特許文献１】特開２０１１−９５９５６号公報
【図１】
2015090672.tif 000003
【図２】
2015090672.tif 000004
【図３】
2015090672.tif 000005
【図４】
2015090672.tif 000006
【図５】
2015090672.tif 000007
【図６】
2015090672.tif 000008
【図７】
2015090672.tif 000009